(57)【要約】  【課題】  傘の石突きに設ける傘用ランプにおいて、石突きに対して着脱可能に構成するとともに、はずした状態においても適切に持ち運べるようにすることを課題とする。  【解決手段】  傘用ライトとして電池により点等するライトと、吊下げ紐に連結される所定の傘の石突きと同じ太さを有する棒体により構成される固定棒と、前記ライトに固定される前記棒体と着脱可能に係合する係合手段とを設けることで、未使用時は、吊下げ紐により鞄や傘の柄などに吊下げて運搬することができ、使用時には、ライトを固定棒から採りはずして、固定棒と同じ太さを有する傘の石突きに係合手段により係合させて固定することができる。【選択図】  図３
0003110727.tif 000002
【実用新案登録請求の範囲】
【請求項１】
電池により点灯するライトと、
吊下げ紐に連結される所定の傘の石突きと同じ太さを有する棒体により構成される固定棒と、
前記ライトに固定される前記棒体と着脱可能に係合する係合手段と
を有する傘用ライト。
【請求項２】
前記係合手段は、所定範囲内の任意の太さを有する棒体に係合可能である請求項１に記載の傘用ライト。
【請求項３】
前記係合手段は、
所定の間隔を空けて、円を取り囲むように配列された弾性体により構成される複数の板状部材と、
前記複数の板状部材の前記円の外側に位置する側面を前記円の内側に向って締め付ける締め付け手段と
から構成される請求項１又は２に記載の傘用ライト。
【請求項４】
請求項１から３のいずれかに記載の傘用ライトに用いられるアダプターであって、
上面が閉じられた弾性のある筒状体から構成されるキャップ体と、
キャップ体の上面から垂直に立設する前記係合手段が係合可能な棒体により構成される代用石突きと
を有する傘用ライトアダプター。
【考案の詳細な説明】
【技術分野】
【０００１】
本考案は傘の石突きに取り付けるライトに関し、特に、使用していない時における持ち運びの利便性を高めた傘用ライトに関する。
【背景技術】
【０００２】
従来から、安全確保などを目的として、下記特許文献１から４に例示されるように傘の石突きの先端にライトを設ける考案が多く提案されている。
【特許文献１】登録実用新案３００２２８１号公報
【特許文献２】特開２０００−７００１９号公報
【特許文献３】特開２００１−２５８６２２号公報
【特許文献４】特開２００４−２２９９５０号公報
【考案の開示】
【考案が解決しようとする課題】
【０００３】
ところで、従来提案されてきた傘用ライトは、傘を開いていない時も石突きの先端に取り付けたままであることを想定している。しかし、傘を閉じた状態において石突き部分は地面に強く衝突したり、地面に押し付けられたりする部分であるために、閉じた状態で電気機器である傘用ライトを石突きに取り付けておくと故障の原因となってしまう。これに対して、いくつかの考案では傘用ライトを取り外せるように構成されているので、傘を閉じた状態では傘用ライトを取り外すことができるが、取り外した傘用ライトは邪魔になり、また、取り外した後で家などに忘れてしまったり紛失させたりすることも多いと考えられる。
以上のことから、本考案は、傘の石突きに設ける傘用ライトにおいて、石突きに対して着脱可能に構成するとともに、はずした状態においても適切に持ち運べるようにすることを課題とする。
【課題を解決するための手段】
【０００４】
上記課題を解決するために、本考案は次のような構成を有する。
請求項１に記載の考案は、電池により点灯するライトと、吊下げ紐に連結される所定の傘の石突きと同じ太さを有する棒体により構成される固定棒と、前記ライトに固定される前記棒体と着脱可能に係合する係合手段とを有する傘用ライトである。なお、吊下げ紐には鎖が含まれる。
請求項２に記載の考案は、前記傘用ライトにおいて、前記係合手段を、所定範囲内の任意の太さを有する棒体に係合可能としたものである。
請求項３に記載の考案は、前記傘用ライトにおいて、前記係合手段を、所定の間隔を空けて、円を取り囲むように配列された弾性体により構成される複数の板状部材と、前記複数の板状部材の前記円の外側に位置する側面を前記円の内側に向って締め付ける締め付け手段とから構成したものである。
請求項４に記載の考案は、前記傘用ライトに用いられるアダプターでり、上面が閉じられた弾性のある筒状体から構成されるキャップ体と、キャップ体の上面から垂直に立設する前記係合手段が係合可能な棒体により構成される代用石突きとを有する。
【考案の効果】
【０００５】
請求項１に記載の考案は、傘の石突きに取り付けない状態で、吊下げ紐により鞄や傘の柄などに吊下げて運搬することができ、使用時には、ライトを固定棒から採りはずして、固定棒と同じ太さを有する傘の石突きに係合手段により係合させて固定することができる。即ち、傘の石突きに着脱可能に形成されるとともに、未使用時に邪魔にならず適切に運  搬することができる。
請求項２に記載の考案は、係合手段を所定範囲内の任意の太さを有する棒体に係合可能とすることで、この所定範囲内の太さを有する任意の傘の石突きに固定することが可能となる。
請求項３に記載の考案は、係合手段を上記のような板状部材と締め付け部材とから構成することで、簡易に係合部を形成できるとともに、締め付け部材の締め付け量を可変とすれば、これに応じた太さの異なる石突きに係合させることができる。
請求項４に記載の考案は、弾性のある筒状体から構成されるキャップ体と、キャップ体の上面から垂直に立設する前記係合手段が係合可能な棒体により構成される代用石突きからなる傘用ライトアダプターであり、キャップ体が弾性体でできているので、所定範囲内の太さを有する任意の傘の石突きにキャップ体を固定することができる。そして、このキャップ体には傘用ライトが係合できる太さの代用石突きが設けられているので、傘用ライトの係合部が係合できない太さの石突きを有する傘であっても、石突きの太さがキャップ体が係合できる太さであれば、この傘用ライトアダプターを装着することで代用石突きを介して前記傘用ライトを装着することができる。
【考案を実施するための最良の形態】
【０００６】
以下、本考案の実施形態について、図を参照しながら説明する。図１に本実施形態に係る傘用ライトＸの斜視図を示す。傘用ライトＸはライト部１０、固定棒部２０と、係合部３０とから構成される。図２に傘用ライトＸの分解斜視図を示し、図３に傘用ライトＸのライト部１０と係合部３０部分の拡大縦断面図を示す。
ライト部１０は、金属性の円筒体により形成される胴体部１１、胴体部１１の一端に固定される透明な合成樹脂により形成されるライトカバー１３、胴体部１１の他端に着脱可能に取り付けられる、筒状体により形成される連結部１２とから構成される。胴体部１１の内部には、ＬＥＤとこれを発行させるＬＥＤ回路からなる発光部１１ａとこれに接続されるボタン電池１１ｂが内蔵されている。ライトカバー１３は、一方の底面が閉じられた円筒体であり、閉じられた底面側の外縁に面取りが施され、また、この底面の中央に内側に突出するほぼ三角錐状の凸部が形成されている。この凸部には光を側方から開口側へ向って反射するためのほぼ三角錐状の反射ミラー１３ａが取り付けられている。連結部１２の外面を形成する外面部１２ａはゴムにより形成される筒状体であり、一端側は内径が小さくなっていく円筒形状であり、他端側は他端からほぼ中央へ向って内径が一定の円筒形状を有する。この連結部１２の外面部１２ａの他端側は係合部３０の一部を構成する。また、連結部１２の外面部１２ａの一端側には、先端にネジが切られた円筒体である係合ネジ１２ｂが固定されている。また、係合ネジ１２ｂの内部にはボタンが内部側に向うように押しボタンスイッチ１２ｃが内蔵されている。押しボタンスイッチ１２ｃはオフの状態から押下するとオンの状態に固定され、さらに、押下するとオフの状態に戻るようになっている。胴体部１１の連結部１２と連結する端部の内周面には係合ネジ１２ｂに係合する図示しない雌ねじが切られており、これにより、胴体部１１と連結部１２とは着脱可能となっている。そして、連結部１２の係合ネジ１２ｂの内部中央にはバネ状の押しボタンスイッチ１２ｃの端子が突出しており、胴体部１１と連結部１２とが係合することで、この端子が胴体部１１の雌ねじ近傍に設けられる内部のライトの回路と接続される端子と接触する。同時に、押しボタンスイッチ１２ｃの他の端子は係合ネジ１２ｂと連結され、これがライトの回路のアースとなっている胴体部１１に連結されることで、押しボタンスイッチ１２ｃがライトのオンオフを切り替えるためのスイッチとして機能するようになっている。
【０００７】
固定棒部２０は、木製の円筒状の棒本体２１と棒本体２１の端部に固定される吊下げ紐２２とから構成される棒本体２１は、先細りになるように形成されている。この棒体の太さは、ここでは多くの傘の石突きの太さである９ｍｍに設定している。棒本体の吊下げ紐２２が設けられる端部には金属性の有底の円筒体であり、底面にリングが溶接されたリング金具２１ａが嵌合固定されている。吊下げ紐２２は、扁平な断面形状を有する編み紐２２ａの両端を合わせて、固定金具２２ｂで挟持固定したものである。この固定金具２２ｂにはリングが溶接され、このリングとリング金具２１ａのリングとが鎖状に繋がることで、棒本体２１と吊下げ紐２２は連結されている。
係合部３０は、前述したようにライト部１０の連結部１２の外面部１２ａの端部を一部とする。即ち、係合部３０はこの外面部１２ａの端部へ向って内径が一定の円筒状部分に４本の長手方向にはしる切り込みを等間隔で設けることで形成される４枚の板状部材３１と、この板状部材３１を外面から内側へ締め付ける複数のゴム製の締め付けリング３２とから構成される。板状部材３１の先端には締め付けリング３２を抜けにくくするために外側に張り出すフランジ部が形成されている。締め付けリング３２をはずした状態での、板状部材３１の内面は、ほぼ固定棒部２０の棒本体２１の外径に沿う大きさに設定されており、リング３２を嵌めると、各板状部材３１が形成する内面はさらに内側へ移動するようになっている。
【０００８】
次に、以上のような構成を有する傘用ライトＸの使用方法について説明する。まず、傘に取り付けないときには、図１に示すような状態として使用する。この状態で、固定棒部２０の棒本体２１は係合部３０の板状部材３１に囲まれた内面側へ挿入され、係合部３０により挟持固定されている。また、棒本体２１の先端でボタンスイッチ１２ａを押下することができ、これによりライトのオンオフを切り替えることができる。通常は、ライトによる明かりを必要としないので、ボタンスイッチ１２ａをオフ状態にしておく。この状態で、吊下げ紐２２により下げ飾りとして鞄などに取り付けたり、傘の柄に取り付けたりすることで持ち運ぶ。そして、夜間に雨が降り出して傘を使用する際には、固定棒２０の棒本体２１を係合部３０から引き抜き、棒本体２１が抜けた係合部３０を図４に示すように、傘の石突きに係合させることより、ライト１０を傘の石突きに固定することができる。そして石突きを係合部３０から深く差し込むことで、ボタンスイッチ１２ａを押下することができ、これによりライトが点灯する。これにより、夜間でも車などから容易に視認することができ歩行の安全を高めることができる。なお、図では吊下げ紐２２を傘の柄に吊下げている。また、車が少ない暗い道などを歩く場合には、図５に示すように傘の柄にライト１０を吊下げて使用することで、足周りを照らすようにすることもできる。なお、使用中に電池が切れた場合は、ライト部１０の胴部１１から連結部１２を取り外し、胴部１１内のボタン電池を交換し、再び連結部１２を固定すればよい。
【０００９】
ところで、傘の石突きの太さは区々であり、係合部３０はゴムを使用しているので、数ｍｍ程度の太さの違いには対応できるが、傘の石突きは７ｍｍ程度のものから２０ｍｍ程度のものまで太さは様々である。係合部３０では石突きの太さは７ｍｍから１２ｍｍくらいまでは対応できるが、これ以上の太さの石突きには固定できない。そこで、これに対応するために、図６に示すような傘用ライトアダプターＹを使用する。傘用ライトアダプターＹは、内径が１２ｍｍの上面が閉じられた弾性のある円筒体から構成されるゴム製のキャップ体５０の上面中央に、固定棒部２０の棒本体２１とほぼ同じ形状を有する代用石突き６０を立てた状態で固定したものである。このような構成により図７（ａ）に示すように太い石突きの先端部からキャップ体５０を被せることで太い石突きの先端に固定棒部２０の棒本体２１とほぼ同じ太さを有する代用石突きを取り付けることができる。また、傘用ライトアダプターＹは、幼児用の先端が球体になった傘の石突きに対しても図７（ｂ）に示すように被せることで固定できる。傘用ライトアダプターＹは、キャップ体５０を弾性があるゴムにより形成することで、太さ１２ｍｍから１６ｍｍの石突きに嵌合固定することができる。さらに太い石突きを有する傘に対しては、キャップ体５０の内径がさらに大きな他の傘用ライトアダプターを用意しておけば足りる。このように傘用ライトアダプターＹを取り付けると、代用石突き６０の太さは係合部３０で係合できる太さであるので、傘の先端部分にライト部１０を固定することが可能となる。
【００１０】
なお、上記実施の形態では、吊り紐２２は扁平な編み紐により形成しているが、鎖とたり、携帯電話のストラップとして使用できるように細い合成樹脂性の糸にしたりでき、また、キーホルダーとして使用できるように開閉可能なフックを取り付けることもできる。また、係合部３０は締め付け手段としてゴムのリングよりなる締め付けリングを使用しているが、板状部材が形成する外周面よりもやや小さな内周面を先端に有する円筒をネジにより上方に移動させることで板状部材を締め付けるように形成することもできる。
【図面の簡単な説明】
【００１１】
【図１】実施形態に係る傘用ライトの斜視図である。
【図２】実施形態に係る傘用ライトの分解斜視図である。
【図３】ライト部と係合部部分の拡大縦断面図である。
【図４】使用状態を示す平面図である。
【図５】他の使用状態を示す平面図である。
【図６】傘用ライトアダプターの斜視図である。
【図７】（ａ）（ｂ）ともに傘用ライトアダプターの使用方法の説明図である。
【符号の説明】
【００１２】
Ｘ  傘用ライト
Ｙ  傘用ライトアダプター
１０  ライト部
２０  固定棒部
２１  棒本体
２２  吊下げ紐
３０  係合部
３１  板状部材
３２  締め付けリング
５０  キャップ部
６０  代用石突き
【図１】
0003110727.tif 000003
【図２】
0003110727.tif 000004
【図３】
0003110727.tif 000005
【図４】
0003110727.tif 000006
【図５】
0003110727.tif 000007
【図６】
0003110727.tif 000008
【図７】
0003110727.tif 000009